(57)【要約】【課題】本発明は、ネットワークによる動画の映像配信に対応できる映像配信通信モジュール及びそれを用いたセットトップボックスを提供することを目的とする。【解決手段】ネットワークにて配信される映像を受信する映像配信通信モジュールであって、ネットワークからの受信情報から動画データと通信メッセージそれぞれを取り出す手段Ｓ２と、取り出された動画データと通信メッセージを別々にテレビジョン対応回路に供給する手段Ｓ３，Ｓ４，Ｓ５を有する。【選択図】図２
2009194854.tif 000002
【特許請求の範囲】
【請求項１】
ネットワークにて配信される映像を受信する映像配信通信モジュールであって、
前記ネットワークからの受信情報から動画データと通信メッセージそれぞれを取り出す手段と、
取り出された前記動画データと前記通信メッセージを別々にテレビジョン対応回路に供給する手段を
有することを特徴とする映像配信通信モジュール。
【請求項２】
請求項１記載の映像配信通信モジュールにおいて、
前記動画データを暗号化して外部に出力する手段を
有することを特徴とする映像配信通信モジュール。
【請求項３】
請求項２記載の映像配信通信モジュールにおいて、
外部から供給される暗号化された動画データを復号して前記テレビジョン対応回路に供給する手段を
有することを特徴とする映像配信通信モジュール。
【請求項４】
請求項１乃至３のいずれか１項記載の映像配信通信モジュールと、
デジタルテレビジョン放送信号を受信して動画データを取り出すデジタルテレビジョンチューナと、
前記映像配信通信モジュール又は前記デジタルテレビジョンチューナで取り出した動画データを多重分離したのちデコードして映像信号と音声信号をテレビジョン受像機に対して出力するテレビジョン対応回路を
有することを特徴とするセットトップボックス。
【発明の詳細な説明】
【技術分野】
【０００１】
本発明は、映像配信通信モジュール及びそれを用いたセットトップボックスに関し、配信映像を受信する映像配信通信モジュール及びそれを用いたセットトップボックスに関する。
【背景技術】
【０００２】
図６は、従来のデジタルＴＶ（Ｔｅｌｅｖｉｓｉｏｎ）に対応するセットトップボックスの一例のブロック図を示す。同図中、セットトップボックス１０は、デジタルＴＶチューナ１１と、ＬＡＮコントローラ１２と、ＴＶ対応ＬＳＩ（大規模集積回路）から構成されている。
【０００３】
デジタルＴＶチューナ１１は、アンテナ入力を供給され、所望のチャンネルの地上デジタルテレビジョン放送信号を受信して、受信チャンネルの動画データとしてのＭＰＥＧ２−ＴＳ（Ｔｒａｎｓｐｏｒｔ  Ｓｔｒｅａｍ）を得て、ＴＶ対応ＬＳＩ１３に供給する。
【０００４】
ＬＡＮコントローラ１２は、ＩＰネットワークに接続されており、ＩＰネットワークにおいてイーサネット（登録商標）で通信するのに適した信号をＣＰＵにおけるデジタル信号に変換し、また、その逆変換を行う。例えばプロバイダからＩＰネットワークを介して情報を受信しＴＶ対応ＬＳＩ１３に供給すると共に、ＴＶ対応ＬＳＩ１３から供給される送信情報を例えばプロバイダに向けてＩＰネットワークに送信する。
【０００５】
ＴＶ対応ＬＳＩ１３は、多重分離部１４、デコーダ部１５、画像重畳部１６、ＣＰＵ１７を有している。ＴＶ対応ＬＳＩ１３はデジタルＴＶチューナ１１から供給される多重されたＴＳを多重分離部１４で多重分離してデコーダ部１５に供給する。
【０００６】
デコーダ部１５は、圧縮されたデータをデコードして映像信号と音声信号に変換する。変換された映像信号は画像重畳部１６を経て映像出力部１８からテレビジョン受像機に供給され、変換された音声信号は音声出力部１９からテレビジョン受像機に供給される。
【０００７】
ＣＰＵ１７は、リモコン等の操作部２０からの入力に応じて送信情報を生成し、この送信情報を例えばプロバイダに送信するためにＬＡＮコントローラ１２に供給する。
【０００８】
また、ＣＰＵ１７は例えば操作部２０からの入力に応じたスパーインポーズ表示を行うためのスパーインポーズ映像信号を生成して画像重畳部１６に供給し、画像重畳部１６でデコーダ部１４からの映像信号にスパーインポーズ映像信号を加算して重畳する。
【０００９】
なお、特許文献１には、無手順データをパケット交換網を介してデータ集配信処理機能ユニットとホストコンピュータとの間で送受信でき、対象物毎にデータ集配信処理機能ユニットを構成できる送受信装置が記載されている。
【特許文献１】特開２００１−１３６２０１号公報
【発明の開示】
【発明が解決しようとする課題】
【００１０】
従来のＬＡＮコントローラ１２は、ＩＰネットワークにおいてイーサネット（登録商標）で通信するのに適した信号をＣＰＵにおけるデジタル信号に変換し、また、その逆変換を行うだけであり、ＵＤＰ（ｕｓｅｒ  ｄａｔａｇｒａｍ  ｐｒｏｔｏｃｏｌ）／ＴＣＰ（ｔｒａｎｓｍｉｓｓｉｏｎ  ｃｏｎｔｒｏｌ  ｐｒｏｔｏｃｏｌ）／ＩＰ（Ｉｎｔｅｒｎｅｔ  Ｐｒｏｔｏｃｏｌ）通信処理は全てＴＶ対応ＬＳＩ１３内のＣＰＵ１７で行っている。
【００１１】
ＴＶ対応ＬＳＩ１３内のＣＰＵ１７の処理能力はそれほど高くないために、ＣＰＵ１７は動画の処理を行うことができず、ＩＰネットワークから得られる画像情報は静止画だけである。このため、近年開発が進んでいるＩＰネットワークによる動画配信、例えばハイビジョン映像配信には対応できないという問題があった。
【００１２】
本発明は、上記の点に鑑みなされたもので、ネットワークによる動画の映像配信に対応できる映像配信通信モジュール及びそれを用いたセットトップボックスを提供することを目的とする。
【課題を解決するための手段】
【００１３】
本発明の一実施態様の映像配信通信モジュールは、ネットワークにて配信される映像を受信する映像配信通信モジュールであって、
前記ネットワークからの受信情報から動画データと通信メッセージそれぞれを取り出す手段（Ｓ２）と、
取り出された前記動画データと前記通信メッセージを別々にテレビジョン対応回路に供給する手段（Ｓ３，Ｓ４，Ｓ５）を有する。
【００１４】
前記映像配信通信モジュールにおいて、
前記動画データを暗号化して出力する手段（Ｓ１５）を有する構成とすることができる。
【００１５】
前記映像配信通信モジュールにおいて、
外部から供給される暗号化された動画データを復号して前記テレビジョン対応回路に供給する手段（Ｓ２２，Ｓ２３）を有する構成とすることができる。
【００１６】
本発明の一実施態様のセットトップボックスは、請求項１乃至３のいずれか１項記載の映像配信通信モジュール（３２）と、
デジタルテレビジョン放送信号を受信して動画データを取り出すデジタルテレビジョンチューナ（３１）と、
前記映像配信通信モジュール（３２）又は前記デジタルテレビジョンチューナ（３１）で取り出した動画データを多重分離したのちデコードして映像信号と音声信号をテレビジョン受像機に対して出力するテレビジョン対応回路（３３）を有する。
【００１７】
なお、上記括弧内の参照符号は、理解を容易にするために付したものであり、一例にすぎず、図示の態様に限定されるものではない。
【発明の効果】
【００１８】
本発明によれば、ネットワークによる動画の映像配信に対応できる。
【発明を実施するための最良の形態】
【００１９】
以下、図面に基づいて本発明の実施形態について説明する。
【００２０】
<セットトップボックスの構成>
図１は、本発明の映像配信通信モジュールを用いたセットトップボックスの一実施形態のブロック図を示す。同図中、セットトップボックス３０は、デジタルＴＶチューナ３１と、映像配信通信モジュール３２と、ＴＶ対応ＬＳＩ（大規模集積回路）３３から構成されている。
【００２１】
デジタルＴＶチューナ３１は、アンテナ入力を供給され、所望のチャンネルの地上デジタルテレビジョン放送信号を受信して、受信チャンネルのＭＰＥＧ２−ＴＳパケットを得て、ＴＶ対応ＬＳＩ３３に供給する。
【００２２】
映像配信通信モジュール３２は、ＩＰネットワークに接続されており、ＩＰネットワークにおいてイーサネット（登録商標）で通信するのに適した信号をＣＰＵにおけるデジタル信号に変換し、また、その逆変換を行う。例えばプロバイダからＩＰネットワークを介して情報を受信し、受信情報から得たＴＳパケット及び通信メッセージ（制御情報を含む）をＴＶ対応ＬＳＩ３３に供給すると共に、ＴＶ対応ＬＳＩ３３から供給される通信メッセージ（制御情報を含む）等の送信情報を例えばプロバイダに向けてＩＰネットワークに送信する。
【００２３】
ＴＶ対応ＬＳＩ３３は、多重分離部３４、デコーダ部３５、画像重畳部３６、ＣＰＵ３７を有している。ＴＶ対応ＬＳＩ３３はデジタルＴＶチューナ３１から供給される多重されたＴＳを多重分離部３４で多重分離してデコーダ部３５に供給する。
【００２４】
デコーダ部３５は、ＭＰＥＧ２−ＴＳをデコードして映像信号と音声信号に変換する。変換された映像信号は画像重畳部３６を経て映像出力部３８からテレビジョン受像機に供給され、変換された音声信号は音声出力部３９からテレビジョン受像機に供給される。
【００２５】
ＣＰＵ３７は、リモコン等の操作部４０からの入力に応じて通信メッセージ（制御情報を含む）等の送信情報を生成し、この送信情報を例えばプロバイダに送信するために映像配信通信モジュール３２に供給する。これと共に、ＣＰＵ３７は例えばプロバイダからの通信メッセージに応じた制御を行う。
【００２６】
また、ＣＰＵ３７はプロバイダからの通信メッセージ（制御情報を含む）又は操作部４０からの入力に応じたスパーインポーズ表示を行うためのスパーインポーズ映像信号を生成して画像重畳部３６に供給し、画像重畳部３６でデコーダ部３４からの映像信号にスパーインポーズ映像信号を加算して重畳する。
【００２７】
<映像配信通信モジュールの構成>
図２は、本発明の映像配信通信モジュールの一実施形態のブロック図を示す。同図中、ＬＡＮ＿Ｉ／Ｆ（インタフェース）４２はＩＰネットワークに接続されて、信号の送受信を行う。ＬＡＮ＿Ｉ／Ｆ４２にはトランシーバ４３が接続され、トランシーバ４３はＩＰネットワークにおいてイーサネット（登録商標）で通信するのに適した信号をプロセッサＬＳＩ４４におけるデジタル信号に変換し、また、その逆変換を行う。
【００２８】
プロセッサＬＳＩ４４は、トランシーバ４３が接続されるＭＡＣ部４４ａ、多重分離部３４が接続されるＴＳ＿Ｉ／Ｆ４４ｂ、ＣＰＵ３７が接続されるＨＯＳＴ＿Ｉ／Ｆ４４ｃ、外部メモリ４５が接続されるＵＳＢ＿Ｉ／Ｆ４４ｄの他に、ＣＰＵ，ＲＡＭ，ＲＯＭを内蔵しており、ＵＤＰ／ＴＣＰ／ＩＰ通信処理を行う。なお、ＨＯＳＴ＿Ｉ／Ｆとしては、例えば、ＰＣＩ（Ｐｅｒｉｐｈｅｒａｌ  Ｃｏｍｐｏｎｅｎｔ  Ｉｎｔｅｒｃｏｎｎｅｃｔ）＿Ｉ／Ｆ等がある。
【００２９】
プロセッサＬＳＩ４４はトランシーバ４３からＭＡＣ部４４ａに供給される受信情報のＵＤＰ／ＴＣＰ／ＩＰ通信処理を高速に行い、これによって得たＴＳパケットをＴＳ＿Ｉ／Ｆ４４ｂから多重分離部３４に供給し、受信情報のＵＤＰ／ＴＣＰ／ＩＰ通信処理を行って得た通信メッセージをＨＯＳＴ＿Ｉ／Ｆ４４ｃからＣＰＵ３７に供給する。また、ＣＰＵ３７からＨＯＳＴ＿Ｉ／Ｆ４４ｃに供給される送信情報のＵＤＰ／ＴＣＰ／ＩＰ通信処理を行ってＭＡＣ部４４ａからトランシーバ４３に供給する。
【００３０】
更に、ＵＳＢ＿Ｉ／Ｆ４４ｄに外部メモリ４５が接続されている場合、プロセッサＬＳＩ４４は受信情報から得たＴＳパケットを暗号化してＵＳＢ＿Ｉ／Ｆ４４ｄからハードディスク装置やＩＣメモリ等の外部メモリ４５に供給する機能を有し、更に、外部メモリ４５から供給される暗号化されたＴＳパケットを復号してＴＳ＿Ｉ／Ｆ４４ｂから多重分離部３４に供給する機能を有している。
【００３１】
図３は、プロセッサＬＳＩ４４がトランシーバ４３から受信情報を供給されたときに実行する処理の一実施形態のフローチャートを示す。同図中、ステップＳ１で受信情報を取り込んで、ステップＳ２で取り込んだ受信情報のＵＤＰ／ＴＣＰ／ＩＰ通信処理を行う。
【００３２】
次に、ステップＳ２の通信処理で得られたのはＴＳパケットか通信メッセージかをステップＳ３で判別し、ＴＳパケットであればステップＳ４で当該ＴＳパケットを多重分離部３４に供給する。一方、通信メッセージであればステップＳ５で当該通信メッセージをＣＰＵ３７に供給する。
【００３３】
図４（Ａ）は、プロセッサＬＳＩ４４に外部メモリ４５が接続されているときに実行する記録処理の一実施形態のフローチャートを示す。同図中、ステップＳ１１で受信情報を取り込んで、ステップＳ１２で取り込んだ受信情報のＵＤＰ／ＴＣＰ／ＩＰ通信処理を行う。
【００３４】
次に、ステップＳ１２の通信処理で得られたのはＴＳパケットか通信メッセージかをステップＳ３で判別し、ＴＳパケットであればステップＳ１４で当該ＴＳパケットを多重分離部３４に供給し、ステップＳ１５で当該ＴＳパケットを暗号化してＵＳＢ＿Ｉ／Ｆ４４ｄから外部メモリ４５に供給する。一方、通信メッセージであればステップＳ１６で当該通信メッセージをＣＰＵ３７に供給する。
【００３５】
図４（Ｂ）は、プロセッサＬＳＩ４４に外部メモリ４５が接続されているときに実行する再生処理の一実施形態のフローチャートを示す。同図中、ステップＳ２１で外部メモリ４５からＵＳＢ＿Ｉ／Ｆ４４ｄに供給される暗号化されたＴＳパケットを取り込み、ステップＳ２２で当該暗号化されたＴＳパケットを復号する。そして、ステップＳ２３で復号したＴＳパケットを多重分離部３４に供給する。
【００３６】
<映像配信通信モジュールとＴＶ対応ＬＳＩの機能図>
図５は、映像配信通信モジュールとＴＶ対応ＬＳＩの一実施形態の機能図を示す。同図中、ＴＶ対応ＬＳＩ３３において、データリンク層として例えばイーサネット（登録商標）コントローラ（Ｅｔｈｅｒｎｅｔ（登録商標）  Ｃｏｎｔｒｏｌｌｅｒ）を有し、ネットワーク層及びトランスポート層としてＵＤＰ又はＴＣＰ／ＩＰを有し、アプリケーション層として例えばＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ），ＤＬＮＡ（Ｄｉｇｉｔａｌ  Ｌｉｖｉｎｇ  Ｎｅｔｗｏｒｋ  Ａｌｌｉａｎｃｅ），ＨＴＴＰ（Ｈｙｐｅｒｔｅｘｔ  Ｔｒａｎｓｆｅｒ  Ｐｒｏｔｏｃｏｌ），ＲＴＰ／ＲＴＳＰ（Ｒｅａｌｔｉｍｅ  Ｔｒａｎｓｐｏｒｔ  Ｐｒｏｔｏｃｏｌ／Ｒｅａｌ  Ｔｉｍｅ  Ｓｔｒｅａｍｉｎｇ  Ｐｒｏｔｏｃｏｌ），ＤＨＣＰ（Ｄｙｎａｍｉｃ  Ｈｏｓｔ  Ｃｏｎｆｉｇｕｒａｔｉｏｎ  Ｐｒｏｔｏｃｏｌ），ＩＧＭＰ／ＭＬＤ（Ｉｎｔｅｒｎｅｔ  Ｇｒｏｕｐ  Ｍａｎａｇｅｍｅｎｔ  Ｐｒｏｔｏｃｏｌ／Ｍｕｌｔｉｃａｓｔ  Ｌｉｓｔｅｎｅｒ  Ｄｉｓｃｏｖｅｒｙ），ＦＥＣ（Ｆｏｒｗａｒｄ  Ｅｒｒｏｒ  Ｃｏｒｒｅｃｔｉｏｎ），１２８ＡＥＳ（Ａｄｖａｎｃｅｄ  Ｅｎｃｒｙｐｔｉｏｎ  Ｓｔａｎｄａｒｄ）を有している。
【００３７】
ＴＶ対応ＬＳＩ３３はＨＯＳＴ＿Ｉ／Ｆ４４ｃによってＣＰＵ３７と接続され、ＴＳ＿Ｉ／Ｆ４４ｂによって多重分離部３４と接続され、また、ＵＳＢ２．０等のＵＳＢ＿Ｉ／Ｆ４４ｄによって外部メモリ４５に接続される。
【００３８】
このように、上記実施形態では、映像配信通信モジュール３２に高速のプロセッサＬＳＩ４４を設け、このプロセッサＬＳＩ４４が受信情報のＵＤＰ／ＴＣＰ／ＩＰ通信処理を行うために、ネットワークによる動画の映像配信に対応することができる。また、ＴＶ対応ＬＳＩ３３のＣＰＵ３７は動画の処理を行うわけではないため、ＴＶ対応ＬＳＩ３３は基本的に従来のＴＶ対応ＬＳＩ１３と同様の機能であり、再設計する必要はない。
【図面の簡単な説明】
【００３９】
【図１】本発明の映像配信通信モジュールを用いたセットトップボックスの一実施形態のブロック図である。
【図２】本発明の映像配信通信モジュールの一実施形態のブロック図である。
【図３】プロセッサＬＳＩが実行する処理の一実施形態のフローチャートである。
【図４】プロセッサＬＳＩが実行する記録処理と再生処理の一実施形態のフローチャートである。
【図５】映像配信通信モジュールとＴＶ対応ＬＳＩの一実施形態の機能図である。
【図６】従来のセットトップボックスの一例のブロック図である。
【符号の説明】
【００４０】
３０  セットトップボックス
３１  デジタルＴＶチューナ
３２  映像配信通信モジュール
３３  ＴＶ対応ＬＳＩ
３４  多重分離部
３５  デコーダ部
３６  画像重畳部
３７  ＣＰＵ
３８  映像出力部
３９  音声出力部
４０  操作部
４２  ＬＡＮ＿Ｉ／Ｆ
４３  トランシーバ
４４  プロセッサＬＳＩ
４４ａ  ＭＡＣ部
４４ｂ  ＴＳ＿Ｉ／Ｆ
４４ｃ  ＨＯＳＴ＿Ｉ／Ｆ
４４ｄ  ＵＳＢ＿Ｉ／Ｆ
【図１】
2009194854.tif 000003
【図２】
2009194854.tif 000004
【図３】
2009194854.tif 000005
【図４】
2009194854.tif 000006
【図５】
2009194854.tif 000007
【図６】
2009194854.tif 000008